(57)【要約】【課題】接続状態に関わらず適切な表示領域に画像を表示できる表示システム等を提供する。【解決手段】表示システムは、画像情報が入力される複数の入力部と、複数の入力部のそれぞれに割り当てられた表示領域を含み、表示領域に画像情報が表示される表示部と、を備え、各入力部に入力された画像情報を、各入力部に割り当てられた表示領域に表示させる表示装置と、それぞれ、複数の入力部のいずれかに接続され、画像情報を出力する複数の出力部と、各出力部について、各出力部に接続された各入力部の物理アドレスを取得するアドレス取得部と、各出力部から、接続された各入力部の物理アドレスに応じた画像情報を出力させる出力制御部と、を備える画像出力装置と、を備える。【選択図】図１
2020025216.tif 000002
【特許請求の範囲】
【請求項１】
画像情報が入力される複数の入力部と、
前記複数の入力部のそれぞれに割り当てられた表示領域を含み、前記表示領域に前記画像情報が表示される表示部と、を備え、
前記各入力部に入力された前記画像情報を、前記各入力部に割り当てられた前記表示領域に表示させる表示装置と、
それぞれ、前記複数の入力部のいずれかに接続され、前記画像情報を出力する複数の出力部と、
前記各出力部について、前記各出力部に接続された前記各入力部の物理アドレスを取得するアドレス取得部と、
前記各出力部から、前記接続された前記各入力部の物理アドレスに応じた前記画像情報を出力させる出力制御部と、を備える画像出力装置と、
を備える表示システム。
【請求項２】
請求項１に記載の表示システムにおいて、
前記画像出力装置は、
前記画像情報を記憶可能な画像バッファと、
前記画像バッファと前記各出力部との間に配置され、前記出力制御部の制御に基づいて、前記画像バッファからの前記画像情報の出力先を前記各出力部のいずれかに選択する選択部と、を備えることを特徴とする表示システム。
【請求項３】
請求項２に記載の表示システムにおいて、
前記画像バッファは、前記物理アドレスに応じた前記画像情報を記憶する複数のバッファ領域を含み、
前記選択部は、前記複数のバッファ領域のそれぞれについて、前記画像情報の出力先を、前記各出力部のいずれかに選択することを特徴とする表示システム。
【請求項４】
請求項１に記載の表示システムにおいて、
前記画像出力装置は、
前記画像情報を記憶可能な複数のバッファ領域を含み、前記各バッファ領域に記憶された前記画像情報が予め決められた前記各出力部のいずれかから出力される画像バッファを備え、
前記出力制御部は、前記物理アドレスに応じた前記画像情報を、それぞれ、前記物理アドレスに対応する前記各出力部を出力先とする前記各バッファ領域に記憶させることを特徴とする表示システム。
【請求項５】
請求項１から請求項４のいずれか１項に記載の表示システムにおいて、
前記出力制御部は、前記各入力部に割り当てられた前記表示領域を示す割当情報と、前記物理アドレスとに応じた前記画像情報を前記各出力部に出力させることを特徴とする表示システム。
【請求項６】
請求項５に記載の表示システムにおいて、
前記画像出力装置は、前記表示装置から前記割当情報を取得することを特徴とする表示システム。
【請求項７】
画像情報が入力される複数の入力部のそれぞれに割り当てられた表示領域に前記画像情報を表示させる表示装置の前記複数の入力部のいずれかにそれぞれ接続され、前記画像情報を出力する複数の出力部と、
前記各出力部について、前記各出力部に接続された前記各入力部の物理アドレスを取得するアドレス取得部と、
前記各出力部から、前記接続された前記各入力部の物理アドレスに応じた前記画像情報を出力させる出力制御部と、を備える画像出力装置。
【請求項８】
画像情報が入力される複数の入力部と、
前記複数の入力部のそれぞれに割り当てられた表示領域を含み、前記表示領域に前記画像情報が表示される表示部と、を備え、
それぞれ、前記複数の入力部のいずれかに接続され、前記画像を出力する複数の出力部を備える画像出力装置の前記各出力部から、前記各出力部に接続された前記各入力部の物理アドレスに応じた前記画像情報が出力され、前記複数の入力部のそれぞれに前記画像情報が入力され、
前記各入力部に入力された前記画像情報を、前記各入力部に割り当てられた前記表示領域に表示させる表示装置。
【請求項９】
画像情報が入力される複数の入力部のそれぞれに割り当てられた表示領域に前記画像情報を表示させる表示装置の前記複数の入力部のいずれかにそれぞれ接続され、前記画像を出力する複数の出力部を備える画像出力装置が、
前記各出力部について、前記各出力部に接続された前記各入力部の物理アドレスを取得し、
前記各出力部から、前記接続された前記各入力部の物理アドレスに応じた前記画像情報を出力させる画像出力方法。
【請求項１０】
画像情報が入力される複数の入力部のそれぞれに割り当てられた表示領域に前記画像情報を表示させる表示装置の前記複数の入力部のいずれかにそれぞれ接続され、前記画像情報を出力する出力部を複数備える画像出力装置を、
前記各出力部について、前記各出力部に接続された前記各入力部の物理アドレスを取得するアドレス取得部と、
前記各出力部から、前記接続された前記各入力部の物理アドレスに応じた前記画像情報を出力させる出力制御部と、
として機能させる画像出力プログラム。
【発明の詳細な説明】
【技術分野】
【０００１】
本発明は、表示システム、画像出力装置、表示装置、画像出力方法、および画像出力プログラムに関する。
【背景技術】
【０００２】
特許文献１には、複数の出力ポートを備え、１つの画像を複数に分割した各画像を予め対応づけられた出力ポートから出力するソース機器（アダプター）と、複数の出力ポートのいずれかにケーブルで接続される入力ポートを複数備え、入力された各画像を、表示部における入力ポートに対応する表示領域に表示するシンク機器（表示装置）と、が記載されている。
【０００３】
特許文献１では、各画像を分割前の元画像に応じた適切な表示領域に表示させるために、シンク機器である表示装置は、ソース機器の出力ポートに割り当てられた物理アドレスを取得し、当該物理アドレスに基づいて、入力ポートに適切な出力ポートが接続されているか否か、すなわち接続状態の適否を判断している。
【先行技術文献】
【特許文献】
【０００４】
【特許文献１】特開２０１５−１０６８２５号公報
【発明の概要】
【発明が解決しようとする課題】
【０００５】
ところで、一般に、シンク機器が、当該シンク機器に接続されたソース機器に物理アドレスを割り当てる。例えば、シンク機器は、ソース機器である画像出力装置の各出力ポートに対して、各出力ポートが接続された入力ポートに対応する物理アドレスを割り当てる。この場合、特許文献１に記載のように、シンク機器が、入力ポートに接続された出力ポートの物理アドレスを取得すると、接続状態に関わらず、入力ポートの物理アドレスとして同じ物理アドレスを取得することとなる。したがって、シンク機器である表示装置は、入力ポートの物理アドレスに基づいて接続状態の適否を判断できず、適切な表示領域に画像が表示されないおそれがあった。
【０００６】
本発明は、接続状態に関わらず適切な表示領域に画像を表示できる表示システム等を提供することを目的の一つとする。
【課題を解決するための手段】
【０００７】
本発明の一態様に係る表示システムは、画像情報が入力される複数の入力部と、前記複数の入力部のそれぞれに割り当てられた表示領域を含み、前記表示領域に前記画像情報が表示される表示部と、を備え、前記各入力部に入力された前記画像情報を、前記各入力部に割り当てられた前記表示領域に表示させる表示装置と、それぞれ、前記複数の入力部のいずれかに接続され、前記画像情報を出力する複数の出力部と、前記各出力部について、前記各出力部に接続された前記各入力部の物理アドレスを取得するアドレス取得部と、前記各出力部から、前記接続された前記各入力部の物理アドレスに応じた前記画像情報を出力させる出力制御部と、を備える画像出力装置と、を備えることを特徴とする。
【０００８】
本発明の一態様に係る表示システムにおいて、前記画像出力装置は、前記画像情報を記憶可能な画像バッファと、前記画像バッファと前記各出力部との間に配置され、前記出力制御部の制御に基づいて、前記画像バッファからの前記画像情報の出力先を前記各出力部のいずれかに選択する選択部と、を備えることを特徴とする。
【０００９】
本発明の一態様に係る表示システムにおいて、前記画像バッファは、前記物理アドレスに応じた前記画像情報を記憶する複数のバッファ領域を含み、前記選択部は、前記複数のバッファ領域のそれぞれについて、前記画像情報の出力先を、前記各出力部のいずれかに選択することを特徴とする。
【００１０】
本発明の一態様に係る表示システムにおいて、前記画像出力装置は、前記画像情報を記憶可能な複数のバッファ領域を含み、前記各バッファ領域に記憶された前記画像情報が予め決められた前記各出力部のいずれかから出力される画像バッファを備え、前記出力制御部は、前記物理アドレスに応じた前記画像情報を、それぞれ、前記物理アドレスに対応する前記各出力部を出力先とする前記各バッファ領域に記憶させることを特徴とする。
【００１１】
本発明の一態様に係る表示システムにおいて、前記出力制御部は、前記各入力部に割り当てられた前記表示領域を示す割当情報と、前記物理アドレスとに応じた前記画像情報を前記各出力部に出力させることを特徴とする。
【００１２】
本発明の一態様に係る表示システムにおいて、前記画像出力装置は、前記表示装置から前記割当情報を取得することを特徴とする。
【００１３】
本発明の一態様に係る画像出力装置は、画像情報が入力される複数の入力部のそれぞれに割り当てられた表示領域に前記画像情報を表示させる表示装置の前記複数の入力部のいずれかにそれぞれ接続され、前記画像情報を出力する複数の出力部と、前記各出力部について、前記各出力部に接続された前記各入力部の物理アドレスを取得するアドレス取得部と、前記各出力部から、前記接続された前記各入力部の物理アドレスに応じた前記画像情報を出力させる出力制御部と、を備えることを特徴とする。
【００１４】
本発明の一態様に係る表示装置は、画像情報が入力される複数の入力部と、前記複数の入力部のそれぞれに割り当てられた表示領域を含み、前記表示領域に前記画像情報が表示される表示部と、を備え、それぞれ、前記複数の入力部のいずれかに接続され、前記画像を出力する複数の出力部を備える画像出力装置の前記各出力部から、前記各出力部に接続された前記各入力部の物理アドレスに応じた前記画像情報が出力され、前記複数の入力部のそれぞれに前記画像情報が入力され、前記各入力部に入力された前記画像情報を、前記各入力部に割り当てられた前記表示領域に表示させることを特徴とする。
【００１５】
本発明の一態様に係る画像出力方法は、画像情報が入力される複数の入力部のそれぞれに割り当てられた表示領域に前記画像情報を表示させる表示装置の前記複数の入力部のいずれかにそれぞれ接続され、前記画像を出力する複数の出力部を備える画像出力装置が、前記各出力部について、前記各出力部に接続された前記各入力部の物理アドレスを取得し、前記各出力部から、前記接続された前記各入力部の物理アドレスに応じた前記画像情報を出力させることを特徴とする。
【００１６】
本発明の一態様に係る画像出力プログラムは、画像情報が入力される複数の入力部のそれぞれに割り当てられた表示領域に前記画像情報を表示させる表示装置の前記複数の入力部のいずれかにそれぞれ接続され、前記画像情報を出力する出力部を複数備える画像出力装置を、前記各出力部について、前記各出力部に接続された前記各入力部の物理アドレスを取得するアドレス取得部と、前記各出力部から、前記接続された前記各入力部の物理アドレスに応じた前記画像情報を出力させる出力制御部と、として機能させることを特徴とする。
【図面の簡単な説明】
【００１７】
【図１】第１実施形態における表示システムの概略構成の一例を示す図である。
【図２】第１実施形態に係る表示システムの一例を概念的に示す図である。
【図３】第１実施形態に係る画像出力装置の概略構成の一例を示す図である。
【図４】第１実施形態に係る出力設定処理の一例を示す図である。
【図５】第１実施形態に係る表示システムの一例を概念的に示す図である。
【図６】従来の表示システムの一例を概念的に示す図である。
【図７】第１実施形態に係るアドレス情報の一例を示す図である。
【図８】第１実施形態に係る割当情報の一例を示す図である。
【図９】第１実施形態に係る設定情報の一例を示す図である。
【図１０】第２実施形態に係る表示システムの一例を概念的に示す図である。
【図１１】第２実施形態に係る画像出力装置の概略構成の一例を示す図である。
【図１２】第２実施形態に係る設定情報の一例を示す図である。
【図１３】第３実施形態に係る割当情報共有処理の一例を示す図である。
【図１４】第３実施形態に係る割当情報の一例を示す図である。
【発明を実施するための形態】
【００１８】
以下、本発明の一態様に係る表示システム等について、図面を参照しつつ説明する。図面については、同一又は同等の要素には同一の符号を付し、重複する説明は省略する。
なお、本発明は、後述する実施形態の構成に限定されるものではなく、本発明の技術的思想の範囲内、即ち、同一の作用効果を発揮できる構成等の範囲内で変更できる。
【００１９】
［第１実施形態］
（表示システムの構成）
本発明の一態様に係る表示システムの一実施形態について説明する。
図１は、第１実施形態に係る表示システム１の一例を示すブロック図である。また、図２は、表示システム１を概念的に示す図である。
表示システム１は、画像表示するシンク機器である表示装置１０と、画像（画像情報）を出力するソース機器である画像出力装置２０と、を備える。これら表示装置１０及び画像出力装置２０は、ＨＤＭＩ（High-Definition Multimedia Interface、登録商標）規格に対応する機器（ＨＤＭI対応機器）であり、ＨＤＭＩケーブルにより接続される。
【００２０】
なお、ＨＤＭＩ対応機器では、ソース機器（画像出力装置２０）が、ＤＤＣ(Display Data Channel)ラインを介してシンク機器（表示装置１０）からＥＤＩＤ(Extended Display Identification Data)を取得する。これにより、ソース機器は、シンク機器の仕様（解像度など）を認識でき、当該仕様に合わせた形態で、映像信号及び音声信号を伝送するＨＤＭＩストリームをシンク機器に出力可能である。
【００２１】
（表示装置の構成）
表示装置１０は、図１に示すように、入力端子１１と、表示部１２と、表示制御部１３と、を備える。表示装置１０は、表示制御部１３の制御に基づいて、入力端子１１から入力された画像情報に基づく画像を、表示部１２に表示する。
【００２２】
入力端子１１は、ＨＤＭＩ端子であり、表示装置１０から出力された画像が入力される。入力端子１１として、第１入力端子１１Ａ、第２入力端子１１Ｂ、第３入力端子１１Ｃ、及び、第４入力端子１１Ｄを備える。各入力端子１１Ａ〜１１Ｄは、複数の入力部に相当する。
【００２３】
各入力端子１１Ａ〜１１Ｄには、図２にて一例を示すように、物理アドレスが予め割り当てられている。具体的には、各入力端子１１Ａ〜１１Ｄには、図１に示すように、ＥＤＩＤが格納される格納部１１１Ａ〜１１１Ｄがそれぞれ設けられる。ＥＤＩＤは、各入力端子１１Ａ〜１１Ｄの物理アドレスを含む。例えば、第１入力端子１１Ａに対して設けられた格納部１１１Ａに格納されるＥＤＩＤは、第１入力端子１１Ａに対応する物理アドレス（１．０．０．０）を含む。格納部１１１Ｂに格納されるＥＤＩＤは、第２入力端子１１Ｂに対応する物理アドレス（２．０．０．０）を含む。格納部１１１Ｃに格納されるＥＤＩＤは、第３入力端子１１Ｃに対応する物理アドレス（３．０．０．０）を含む。格納部１１１Ｄに格納されるＥＤＩＤは、第４入力端子１１Ｄに対応する物理アドレス（４．０．０．０）を含む。
【００２４】
表示部１１は、制御部１２の制御によって、画像出力装置２０からの入力信号（画像情報）に基づく画像を表示する。表示部１１は、例えば液晶、有機ＥＬ（Organic Electro-Luminescence）、及びマイクロＬＥＤ（Light Emitting Diode）等の各種方式の表示パネルを含み構成される。
【００２５】
図２に示すように、表示部１２は、画像を表示可能な全領域を複数、本実施形態では４つ、に分割した各表示領域に、各入力端子１１Ａ〜１１Ｄのうちの対応する端子から入力された画像を表示する。例えば、表示部１２を４等分に分割した際の第１表示領域１２１Ａ（図２の左上領域）には第１入力端子１１Ａが、第２表示領域１２１Ｂ（図２の右上領域）には第２入力端子１１Ｂが、第３表示領域１２１Ｃ（図２の左下領域）には第３入力端子１１Ｂが、第４表示領域１２１Ｄ（図２の右下領域）には第４入力端子１１Ｄが、それぞれ対応づけられている。
【００２６】
表示制御部１３は、ＣＰＵ（Central Processing Unit）、ＲＯＭ（Read Only Memory）、ＲＡＭ（Random Access Memory）等を含み構成され、表示装置１を制御する。例えば、表示制御部１３は、第１入力端子１１Ａから入力された画像（画像情報）を第１表示領域１２１Ａに、第２入力端子１１Ｂから入力された画像を第２表示領域１２１Ｂに、第３入力端子１１Ｃから入力された画像を第３表示領域１２１Ｃに、第４入力端子１１Ａから入力された画像を第４表示領域１２１Ｄに表示する。
【００２７】
（画像出力装置の構成）
図３は、画像出力装置２０の概略構成の一例を示すブロック図である。
画像出力装置２０は、図１及び図３に示すように、出力端子２１と、ＨＤＭＩトランスミッタ２２と、スイッチ２３と、ＳＯＣ（System-on-a-chip）２４と、を備える。
画像出力装置２０では、出力端子２１と、ＨＤＭＩトランスミッタ２２と、スイッチ２３と、ＳＯＣ２４とが、ＨＤＭＩ規格に対応した伝送ラインにより接続されている。この伝送ラインは、ＨＤＭＩストリームを伝送するためのデータライン、ＥＤＩＤの取得に用いられるＤＤＣライン、及び、ＣＥＣコマンドが伝送されるＣＥＣラインを含む。
【００２８】
ＳＯＣ２４は、後に詳述するが、画像バッファ２５と、制御部２６と、記憶部２７と、を備える。制御部２６は、記憶部２７に記憶された画像データをデコードし、４つの画像に分割した際の各画像を画像バッファ２５に展開し、これら４つの画像（画像情報）のそれぞれを４つの伝送ライン２４１Ａ〜２４１Ｄのうちの対応する伝送ラインから出力する。なお、画像は、記憶部２７に記憶された画像データがデコードされる以外にも、例えば、記録媒体に記録された画像データを再生する再生部（図示省略）によって再生されてもよい。また、画像は、画像出力装置に通信可能に接続された外部装置から送信されてもよい。
【００２９】
出力端子２１は、ＨＤＭＩ端子であり、表示装置１０に画像情報を出力する。画像出力装置２０は、出力端子２１として、第１出力端子２１Ａ、第２出力端子２１Ｂ、第３出力端子２１Ｃ、及び、第４出力端子２１Ｄを備える。各出力端子２１Ａ〜２１Ｄは、入力端子１１Ａ〜１１Ｄのいずれかに接続される。図２の例では、各出力端子２１Ａ〜２１Ｄは、それぞれ各入力端子１１Ａ〜１１Ｄに接続され、各入力端子１１Ａ〜１１Ｄの物理アドレスが割り当てられている。各出力端子２１Ａ〜２１Ｄは、出力部に相当する。
ＨＤＭＩトランスミッタ２２は、各出力端子１１Ａ〜１１Ｄのそれぞれに設けられ、スイッチ２３を介してＳＯＣ２４から出力された画像情報を含むＨＤＭＩストリーム等の信号を各出力端子１１Ａ〜１１Ｄから出力させる。
【００３０】
スイッチ２３は、トランスミッタ２２とＳＯＣ２４との間に配置され、制御部２６の制御に基づいて、ＳＯＣ２４から出力された画像情報の出力先を各出力端子２１Ａ〜２１Ｄから選択する。すなわち、スイッチ２３は、制御部２６の制御に基づいて、各出力端子２１Ａ〜２１Ｄを、各伝送ライン２４１Ａ〜２４１Ｄの何れかに接続して接続状態を設定する。なお、図３では、伝送ライン２４１Ａの接続先として、各出力端子２１Ａ〜２１Ｄのいずれか一つを選択可能であることを模式的に示しているが、他の伝送ライン２４１Ｂ〜２４１Ｄについても同様である。
【００３１】
ＳＯＣ２４が備える画像バッファ２５は、図３に示すように、複数のバッファ領域、本実施形態では第１領域２５Ａと、第２領域２５Ｂと、第３領域２５Ｃと、第４領域２５Ｄと、の４つのバッファ領域を有する。
各領域２５Ａ〜２５Ｄは、図２に例示するように、一つの元画像３０を４つの画像に分割した際の予め決められた位置の画像が記憶される。例えば、本実施形態では、８Ｋ解像度の一つの元画像３０が、４Ｋ解像度の４つの画像、すなわち左上画像３１、右上画像３２、左下画像３３、及び、右下画像３４に分割され、画像バッファ２５の予め決められた領域に各画像３１〜３４を記憶される。具体的には、第１領域２５Ａに左上画像３１が、第２領域２５Ｂに右上画像３２が、第３領域２５Ｃに左下画像３３が、第４領域２５Ｄに右下画像３４がそれぞれ記憶される。
【００３２】
ＳＯＣ２４が備える制御部２６は、ＣＰＵ、ＲＯＭ、及びＲＡＭ等を含み構成され、アドレス取得部２６１、画像処理部２６２、及び、出力制御部２６３の機能を実現する。
【００３３】
アドレス取得部２６１は、各出力部２１Ａ〜２１Ｄについて、各出力部２１Ａ〜２１Ｄに接続された入力部１１Ａ〜１１Ｄのいずれかの入力部１１に対応する物理アドレスを取得する。本実施形態では、画像出力装置２０は、アドレス取得部２６１の制御に基づいて、各格納部１１１Ａ〜１１１Ｄに格納されたＥＤＩＤを読み込むことにより、各入力端子１１Ａ〜１１Ｄの物理アドレスを取得する。
【００３４】
画像処理部２６２は、画像データをデコードして元画像３０を生成し、元画像３０を４分割した各画像を画像バッファに記憶する。本実施形態では、画像処理部２６３は、各画像を、各領域２５Ａ〜２５Ｄのうちの予め決められた領域に記憶する。
【００３５】
出力制御部２６３は、物理アドレスに応じた画像を各出力端子１１Ａ〜１１Ｄから出力可能となるようにスイッチ２２を制御する出力設定処理を行う。出力設定処理については後述する。
【００３６】
記憶部２７は、例えばフラッシュメモリやＲＡＭ等であって、制御部１１１によって実行されるプログラムや、各種のデータを記憶する。記憶部２７は、アドレス情報、割当情報、及び、設定情報を記憶している。これらアドレス情報、割当情報、及び、設定情報については後述する。
【００３７】
（出力設定処理）
図４は、画像出力装置２０が実施する出力設定処理の一例を示すフローチャートである。また、図５は、本実施形態に係る表示システム１の一例を概念的に示す図である。また、図６は、従来例の表示システム１００の一例を概念的に示す図である。
なお、以下、一例として、第１出力端子２１Ａが第１入力端子１１Ａに接続され、第２出力端子２１Ａが第２入力端子１１Ｂに接続され、第３出力端子２１Ｃが第４入力端子１１Ｄに接続され、第４出力端子２１Ｄが第３入力端子１１Ｃに接続されている場合について説明する。この場合、第１出力端子２１Ａに物理アドレス（１．０．０．０）が、第１出力端子２１Ｂに物理アドレス（２．０．０．０）が、第３出力端子２１Ｃに物理アドレス（４．０．０．０）が、第４出力端子２１Ｄに物理アドレス（３．０．０．０）が、それぞれ割り当てられる。
【００３８】
ここで、図６に示す従来例の表示システム１００は、表示装置１１０と、画像出力装置１２０と、を備える。画像出力装置１２０は、スイッチ２３が設けられておらず、各出力端子２１Ａ〜２１Ｄから、各画像のうちの予め決められた画像が出力される。したがって、第３領域２５Ｃに記憶された左下画像３３は、第３出力端子２１Ｃから出力され、第４入力端子１１Ｄに入力されるため、表示部１２の右下領域である第４表示領域１２１Ｄに表示される。また、第４領域２５Ｄに記憶された右下画像３４は、第４出力端子２１Ｄから出力され、第３入力端子２１Ｃから入力されるため、表示部１１の左下領域である第３表示領域１２１Ｃに表示される。すなわち、左下画像３３と右下画像３４とが入れ替わって表示される。
【００３９】
本実施形態では、後に詳述するが、各入力端子１１Ａ〜１１Ｄと各出力端子２１Ａ〜２１Ｄとの間の接続状態に応じてスイッチ２３を制御し、各伝送ライン２４１Ａ〜２４１Ｄを、各出力端子２１Ａ〜２１Ｄのいずれに接続するかを設定する出力設定処理を実施する。出力設定処理によって、図５に示すように、第３出力端子２１Ｃから右下画像３４が出力されるように、第３出力端子２１Ｃと第４領域２５Ｄ（第４伝送ライン２４１Ｄ）とが接続される。第４出力端子２１Ｄから左下画像３３が出力されるように、第４出力端子２１Ｄと第３領域２５Ｃ（第３伝送ライン２４１Ｃ）とが接続される。これにより、従来例のように左下画像３３と右下画像３４とが入れ替わって表示されることなく、各画像３１〜３４が表示部２１の適切な領域に表示され、元画像３０が表示部２１に表示される。
【００４０】
以下、画像出力装置２０が実施する出力設定処理の一例について説明する。
画像出力装置２０は、各出力端子２１Ａ〜２１Ｄに接続されている入力端子が変更されたり、新たな機器が接続されたりした場合に、出力設定処理を実施する必要がある。画像出力装置２０は、例えば、電源がオンされた場合に出力設定処理を実施する。
【００４１】
具体的には、図４に示すように、出力制御部２６３は、スイッチ２２の接続状態を初期化する（ステップＳ１）。
具体的には、出力制御部２６３は、第１出力端子１１Ａが伝送ライン２４１Ａ（第１領域２５Ａ）に接続され、第２出力端子１１Ｂが伝送ライン２４１Ｂ（第２領域２５Ｂ）に接続され、第３出力端子１１Ｃが伝送ライン２４１Ｃ（第３領域２５Ｃ）に接続され、第４出力端子１１Ｄが伝送ライン２４１Ｄ（第４領域２５Ｄ）に接続される状態（初期状態）に、スイッチ２２の接続状態を制御する。ステップＳ１において初期状態に設定することにより、後述するステップＳ２において、各出力端子２１Ａ〜２１Ｄに接続された入力端子１１に対応する物理アドレスを正しく取得することができる。
【００４２】
次に、アドレス取得部２６１は、ＤＤＣラインを介して、各出力端子２１Ａ〜２１Ｄについて、各出力端子２１Ａ〜２１Ｄに接続された入力端子１１Ａ〜１１Ｄの物理アドレスを取得する（ステップＳ２）。アドレス取得部２６１は、取得した物理アドレスと、各出力端子２１Ａ〜２１Ｄとを対応づけるアドレス情報を生成し、記憶部２７に記憶する。
【００４３】
図７は、アドレス情報の一例を示す図である。図７に示すアドレス情報の一例では、第１出力端子２１Ａは、第１入力端子１１Ａの物理アドレス（１．０．０．０）が対応づけられている。第２出力端子２１Ｂは、第２入力端子１１Ｂの物理アドレス（２．０．０．０）が対応づけられている。第３出力端子２１Ｃは、第４入力端子１１Ｃの物理アドレス（４．０．０．０）が対応づけられている。第４出力端子２１Ｄは、第３入力端子１１Ｃの物理アドレス（３．０．０．０）が対応づけられている。
【００４４】
次に、出力制御部２６３は、アドレス情報と割当情報とに基づいて、設定情報を生成し、記憶部２７に記憶する（ステップＳ３）。
図８は、割当情報の一例を示す図である。割当情報は、図８に示すように、物理アドレスと、元画像３０を４つに分割した際の各画像、すなわち左上画像３１、右上画像３２、左下画像３３、及び、右下画像３４のそれぞれとを対応づける情報である。換言すると、割当情報は、表示装置１０において、各表示領域（各画像の表示位置）が各入力部１１Ａ〜１１Ｄのいずれに対応づけられているかを示す情報である。本実施形態では、第１入力端子１１Ａに入力された画像は、表示部１１の左上領域である第１表示領域１２１Ａに表示される。したがって、左上画像３１は、第１入力端子１１Ａに入力されるべき画像であり、第１入力端子１１Ａの物理アドレス（１．０．０．０）が対応づけられている。同様に、右上画像３２は物理アドレス（２．０．０．０）が、左下画像３３は物理アドレス（３．０．０．０）が、右下画像３４は物理アドレス（４．０．０．０）が対応づけられている。
【００４５】
図９は、設定情報の一例を示す図である。設定情報は、図９に示すように、画像バッファ２５の各領域２５Ａ〜２５Ｄの画像の出力先を、各出力端子２１Ａ〜２１Ｄのいずれに設定すべきかを示す。すなわち、設定情報は、各伝送ライン２４１Ａ〜２４１Ｄを、各出力端子２１Ａ〜２１Ｄのいずれに接続するようにスイッチ２３を制御すべきかを示す。本実施形態では、図９に一例を示すように、第１出力端子２１Ａと第１領域２５Ａとが、第２出力端子２１Ｂと第２領域２５Ａとが、第３出力端子２１Ｃと第４領域２５Ｄとが、第４出力端子２１Ｄと第３領域２５Ｃとが、それぞれ対応づけられている。
【００４６】
ステップＳ３では、出力制御部２６３は、例えば、アドレス情報と割当情報とに基づいて、第１出力端子２１Ａは、物理アドレス（１．０．０．０）に対応し、左上画像３１が記憶される第１領域２５Ａに接続されるべきと判断し、第１出力端子２１Ａと第１領域２５Ａとを対応づける。
【００４７】
次に、出力制御部２６３は、設定情報に基づいてスイッチ２２を制御し、画像バッファ２５の各領域２５Ａ〜２５Ｄ（各伝送ライン２４１Ａ〜２４１Ｄ）と、各出力端子２１Ａ〜２１Ｄとの接続状態を、設定情報に応じた接続状態とする（ステップＳ４）。すなわち、出力制御部２６３は、スイッチ２２を制御し、第１領域２５Ａと第１出力端子２１Ａとを、第２領域２５Ｂと第２出力端子２１Ｂとを、第３領域２５Ｃと第４出力端子２１Ｄとを、第４領域２５Ｄと第３出力端子２１Ｃとを、それぞれ接続する。
制御部２６は、ステップＳ４が終了したら、出力設定処理を終了する。
【００４８】
画像出力装置２０は、上記出力設定処理が完了した後、画像の出力タイミングとなると、第１出力端子２１Ａから左上画像３１を、第２出力端子２１Ｂから右上画像３２を、第３出力端子２１Ｂから右下画像３３を、第４出力端子２１Ｃから左下画像３４を出力する。
【００４９】
表示装置１０は、図５に示すように、第１入力端子１１Ａに左上画像３１が、第２入力端子２１Ｂに右上画像３２が入力される。また、表示装置１０は、第４出力端子２１Ｄが接続された第３入力端子１１Ｃに左下画像３３が、第３出力端子２１Ｃが接続された第４入力端子１１Ｄに右下画像３４が入力される。したがって、表示装置１０は、表示部１０の各領域２５Ａ〜２５Ｄに各画像３１〜３２のうちの適切な画像が表示され、元画像３０が適切に表示される。
【００５０】
上述の画像出力装置２０は、取得した物理アドレスに応じた画像（画像情報）を、この物理アドレスに対応する入力端子１１に接続された出力端子２１から出力する。これにより、画像出力装置２０は、表示部１２の各表示領域に表示すべき画像を、各表示領域１２１Ａ〜１２１Ｄに対応する入力端子１１に入力できる。したがって、表示システム１では、表示装置１０は、画像出力装置２０との間の接続状態に関わらず、表示部１２の適切な表示領域に各画像３１〜３４を表示できる。
【００５１】
画像出力装置２０は、表示装置１０の入力端子１１と表示領域との対応関係を示す割当情報と、出力端子２１に接続された入力端子１１の物理アドレスに基づいて、各出力端子２１Ａ〜２１Ｄと各表示領域１２１Ａ〜１２１Ｄとの対応関係を特定できる。これにより、画像出力装置２０は、表示装置１０の各表示領域１２１Ａ〜１２１Ｄに対応する各入力端子１１Ａ〜１１Ｄのそれぞれに、各画像３１〜３４のうちの適切な画像を入力できる。したがって、表示システム１は、接続状態に関わらず、表示部１２に元画像３０を表示させることができる。
【００５２】
表示システム１では、画像出力装置２０に、画像バッファ２５から出力される各画像３〜３４の出力先を設定するスイッチ２３（選択部）を設けるという簡易な改良を加えることにより、接続状態に関わらず元画像３０を表示させることができる。
【００５３】
また、表示システム１では、複数のバッファ領域２５Ａ〜２５Ｄのそれぞれに１つの画像が記憶される。スイッチ２３（選択部）は、複数のバッファ領域２５Ａ〜２５Ｄのそれぞれについて、出力先の出力端子２１を設定する。したがって、画像は、記憶されているバッファ領域２５Ａ〜２５Ｄに対して選択された出力端子２１から出力されるため、画像や画像の一部が、選択された出力端子２１以外の出力端子２１から出力される誤送信を抑制できる。
【００５４】
（第２実施形態）
第２実施形態について説明する。
図１０は、第２実施形態に係る表示システム１Ａの一例を概念的に示す図である。
図１１は、第２実施形態に係る画像出力装置２０Ａの一例を示すブロック図である。図１２は、第２実施形態における設定情報の一例を示す図である。
【００５５】
図１０に示す表示システム１Ａは、表示装置１０と画像出力装置２０Ａとを備える。
図１１に示すように、画像出力装置２０Ａでは、第１実施形態とは異なり、スイッチ２３が設けられておらず、画像バッファ２５の各領域２５Ａ〜２５Ｄはそれぞれ所定の出力端子２１に接続されている。具体的には、第１領域２５Ａは第１出力端子２１Ａに、第２領域２５Ｂは第２出力端子２１Ｂに、第３領域２５Ｃは第３出力端子２１Ｃに、第４領域２５Ｄは第４出力端子２１Ｄに、それぞれ接続されている。すなわち、各領域２５Ａ〜２５Ｄに記憶された画像は、各出力端子２１Ａ〜２１Ｄのうちの予め決められた出力端子２１から出力される。
【００５６】
画像出力装置２０Ａでは、出力制御部２６３は、アドレス情報と割当情報とに基づいて設定情報を生成し、記憶部２７に記憶する。なお、図１２に一例を示すように、本実施形態では、設定情報は、元画像３０を分割した各画像を、画像バッファ２５の各領域２５Ａ〜２５Ｄのいずれに記憶するかを示す情報である。図１２に示す設定情報は、元画像３０を分割した各画像３１〜３４と、画像バッファ２５の各領域２５Ａ〜２５Ｄとが、対応づけられている。
【００５７】
上述のように画像バッファ２５の各領域２５Ａ〜２５Ｄと、各出力端子２１Ａ〜２１Ｄとの対応関係は予め決まっている。したがって、各出力端子２１Ａ〜２１Ｄと物理アドレスとの対応関係を示すアドレス情報（図７参照）に基づいて、各領域２５Ａ〜２５Ｄと物理アドレスとの対応関係が明らかになる。さらに、物理アドレスと各画像３１〜３４との対応関係を示す割当情報（図８参照）に基づいて、各画像３１〜３４と各領域２５Ａ〜２５Ｄとの対応関係を示す設定情報が生成される。
【００５８】
設定情報が生成された後、画像の出力タイミングとなると、出力制御部２６３は、上述の設定情報に基づいて、各画像３１〜３４を、画像バッファ２５の各領域２５Ａ〜２５Ｄにおける予め設定された領域に記憶する。本実施形態では、図１０に示すように、出力制御部２６３は、左上画像３１を第１領域２５Ａに、右上画像３２を第２領域２５Ｂに、左下画像３３を第４領域２５Ｄに、右下画像３４を第３領域２５Ｃに記憶する。
【００５９】
画像出力装置２０Ａは、第１出力端子２１Ａから左上画像３１を、第２出力端子２１Ｂから右上画像３２を、第３出力端子２１Ｃから右下画像３４を、第４出力端子２１Ｄから左下画像３３を出力する。第１実施形態と同様に、表示装置１０は、各画像３１〜３４を表示部１２の各領域２５Ａ〜２５Ｄの適切な位置に表示でき、元画像３０を適切に表示できる。
【００６０】
第２実施形態の画像出力装置２０Ａは、バッファ２５における各画像３１〜３４の書き込み位置を物理アドレスに応じて変更することにより、上述のように元画像３０を適切に表示できる。したがって、従来の画像出力装置の物理構成の変更なく用いることができるため、設計変更した際等における製造コストの増大を抑制できる。
【００６１】
（第３実施形態）
第３実施形態について説明する。
図１３は、第３実施形態に係る表示システム１における割当情報共有処理の一例を示すフローチャートである。図１４は、割当情報の一例を示す図である。
なお、第３実施形態に係る割当情報共有処理は、第１実施形態に係る表示システム１において実施される場合について説明するが、第２実施形態に係る表示システム１Ａでも同様である。
【００６２】
表示システム１において、出力設定処理のタイミングになると、割当情報共有処理を実施する。
割当情報共有処理では、図１３に示すように、画像出力装置２０は、接続された表示装置１０に対応する割当情報が記憶部２７に記憶されているか否かを判定する（ステップＳ１１）。例えば、出力制御部２６３は、表示装置１０からＥＤＩＤを取得し、取得したＥＤＩＤに含まれる表示装置１０に関する機器情報に基づいて、当該機器情報に対応する割当情報が記憶部２７に既に記憶されているか否かを判定する。
【００６３】
ステップＳ１１において割当情報が記憶されていないと判定された場合（ステップＳ１１；ＮＯ）、出力制御部２６３は、割当情報の送信要求を表示装置１０に送信する（ステップＳ１２）。送信要求は、例えば、ＣＥＣコマンドとして、ＣＥＣラインを介して、画像出力装置２０から表示装置１０に送信される。
【００６４】
表示装置１０は、送信要求を受信し（ステップ２１）、送信要求に基づいて画像表示装置２０に割当情報を送信する（ステップＳ２２）。
画像出力装置２０の出力制御部２６３は、割当情報を受信し、記憶部２７に記憶する（ステップＳ１３）。出力制御部２６３は、割当情報を取得するか、割当情報があると判定すると（ステップＳ１１；ＹＥＳ）、割当情報共有処理を終了する。次に、画像出力装置２０は、出力設定処理を実施する。
【００６５】
割当情報は、例えば、図１４に示すように、割当情報であることを示すデータＩＤと、左上画像、右上画像、左下画像、及び右下画像の順にそれぞれの画像に対応する物理アドレスの各値と、が順次結合されたデータである。
【００６６】
第３実施形態では、画像出力装置２０は、割当情報を予め保有していない表示装置１０が接続されたとしても、表示装置１０についての割当情報を取得することができる。これにより、画像出力装置２０は、割当情報とアドレス情報とに基づいて、割当情報を予め保有していない表示装置１０についても、各出力端子からいずれの位置の画像を出力させるべきかを特定できる。
【００６７】
（変形例）
本発明に係る表示システム等は、上述の各実施形態に限定されず、本発明の技術的思想の範囲内において、各種の変形や、各実施例の全部及び一部を組み合わせる等の変更によって得られる構成は本発明に含まれるものである。
【００６８】
例えば、上記各実施形態において、表示装置１０の入力端子１１に設定されている物理アドレスは変更されてもよい。例えば、表示装置１０に複数の外部機器が接続されている場合、当該外部機器が変更された際等に、これら外部機器が接続された各端子（入力端子１１）を含むに新たな物理アドレスを割り当ててもよい。
【００６９】
上記第１実施形態では、画像バッファ２５の各領域２４Ａ〜２５Ｄに対応する各伝送ライン２４１Ａ〜２４１Ｄを備える構成を例示したが、これに限定されず、一つの伝送ラインを備える構成を採用してもよい。例えば、画像バッファの何れの領域から画像が出力されるかに応じて、スイッチにより出力先の出力端子２１を変更してもよい。
【００７０】
上記各実施形態では、出力設定処理を実施した後に、画像出力装置から表示装置に画像を出力し、表示させている場合について例示したが、これに限らない。例えば、画像出力装置から表示装置に画像を出力し、画像を表示させている最中に、出力設定処理を実施してもよい。この場合、出力設定処理を実施して画像の出力先を変更する際に、表示装置に表示されている画像が乱れるおそれがあるため、予め、画像が乱れるおそれがある旨をユーザに報知する報知情報を出力してもよい。報知情報は、画像として表示されてもよいし、音声として出力されてもよい。
【００７１】
上記各実施形態では、表示装置と画像出力装置とはＨＤＭＩ規格に対応する端子を備え、ＨＤＭＩケーブルで接続されている場合について例示したが、これに限らず、Ｄ−ｓｕｂ（D-subminiature）端子、及びＲＣＡ端子等の各種規格の端子を備え、当該端子が互いに有線接続されていてもよい。また、表示装置と画像出力装置とは、Ｗｉ-Ｆｉ（登録商標）やＢｌｕｅｔｏｏｔｈ（登録商標）等の各種無線通信規格に対応し、互いに無線通信により画像出力装置から表示装置に送信してもよい。
【符号の説明】
【００７２】
１，１Ａ  表示システム、１０  表示装置、１１  入力端子、１１Ａ  第１入力端子、１１Ｂ  第２入力端子、１１Ｃ  第３入力端子、１１Ｄ  第４入力端子、１１１Ａ〜１１１Ｄ  格納部、１２  表示部、１２１Ａ  第１表示領域、１２１Ｂ  第２表示領域、１２１Ｃ  第３表示領域、１２１Ｄ  第４表示領域、１３  表示制御部、２０，２０Ａ  画像出力装置、２１  出力端子、２１Ａ  第１出力端子、２１Ｂ  第２出力端子、２１Ｃ  第３出力端子、２１Ｄ  第４出力端子、２２  ＨＤＭＩトランスミッタ、２３  スイッチ、２４  ＳＯＣ、２４１Ａ〜２４１Ｄ  伝送ライン、２５  画像バッファ、２５Ａ  第１領域、２５Ｂ  第２領域、２５Ｃ  第３領域、２５Ｄ  第４領域、２６  制御部、２６１  アドレス取得部、２６２  画像処理部、２６３  出力制御部、３０  元画像、３１  左上画像、３２  右上画像、３３  左下画像、３４  右下画像
【図１】
2020025216.tif 000003
【図２】
2020025216.tif 000004
【図３】
2020025216.tif 000005
【図４】
2020025216.tif 000006
【図５】
2020025216.tif 000007
【図６】
2020025216.tif 000008
【図７】
2020025216.tif 000009
【図８】
2020025216.tif 000010
【図９】
2020025216.tif 000011
【図１０】
2020025216.tif 000012
【図１１】
2020025216.tif 000013
【図１２】
2020025216.tif 000014
【図１３】
2020025216.tif 000015
【図１４】
2020025216.tif 000016